(57)【要約】【課題】簡単な構造で、火災時であっても、上外障子の竪框の反りにより、竪框と竪枠の上部付近に隙間が生じることを防止可能なげ下げ窓を提供する。【解決手段】上げ下げ窓１００は、枠体であるサッシ枠１と上外障子２と下内障子３とを有し、枠体であるサッシ枠１の竪枠１３，１４の上部と上外障子２の竪框２３，２４の上部のうち、一方に反り防止金具７０２、他方に受け金具７０１を有する。受け金具７０１は、障子走行方向に開口する切欠き部７０１ｕを備え、反り防止金具７０２は、竪枠１３，１４または竪框２３，２４の他方側に突出する係合片７０２ｐを有し、上外障子２が閉鎖位置にある場合、反り防止金具７０２の係合片７０２ｐが、受け金具７０１の切欠き部７０１ｕに差し込まれて、反り防止金具７０２と受け金具７０１とが見込み方向に係合するように構成されている。【選択図】図７
2014218834.tif 000002
【特許請求の範囲】
【請求項１】
枠体と上外障子と下内障子とを有し、
枠体の竪枠の上部と上外障子の竪框の上部のうち、一方に反り防止金具、他方に受け金具を有し、
受け金具は、障子走行方向に開口する切欠き部を備え、
反り防止金具は、竪枠または竪框の他方側に突出する係合片を有し、
上外障子が閉鎖位置にある場合、反り防止金具の係合片が、受け金具の切欠き部に差し込まれて、反り防止金具と受け金具とが見込み方向に係合するように構成されていることを特徴とする上げ下げ窓。
【発明の詳細な説明】
【技術分野】
【０００１】
本発明は、上げ下げ窓に関する。
【背景技術】
【０００２】
枠体の内部に内障子と外障子とを備え、少なくとも内障子または外障子を上げ下げ自在に納めてなる上げ下げ窓（建具）が知られている（例えば、特許文献１参照）。
【先行技術文献】
【特許文献】
【０００３】
【特許文献１】特許第４７４９８２６号公報
【発明の概要】
【発明が解決しようとする課題】
【０００４】
ところで、一般的な上げ下げ窓（建具）においては、枠体に上外障子が嵌め込まれ、ロッド棒などにより枠体と上外障子とが単純に固定された構造となっており、枠体の竪枠の上部付近と上外障子の竪框の上部付近との結合強度が比較的小さい。このため、例えば火災時、上外障子の竪框が反ることにより、上障子の竪框と枠体の竪枠の上部付近に隙間が生じる虞がある。
【０００５】
本発明は、上述した問題に鑑みてなされたもので、簡単な構造で、火災時であっても、上外障子の竪框の反りにより、上外障子の竪框と枠体の竪枠の上部付近で隙間が生じることを防止可能な上げ下げ窓を提供すること、などを目的とする。
【課題を解決するための手段】
【０００６】
本発明の上げ下げ窓は、枠体と上外障子と下内障子とを有し、枠体の竪枠の上部と上外障子の竪框の上部のうち、一方に反り防止金具、他方に受け金具を有し、受け金具は、障子走行方向に開口する切欠き部を備え、反り防止金具は、竪枠または竪框の他方側に突出する係合片を有し、上外障子が閉鎖位置にある場合、反り防止金具の係合片が、受け金具の切欠き部に差し込まれて、反り防止金具と受け金具とが見込み方向に係合するように構成されていることを特徴とする。
【発明の効果】
【０００７】
本発明によれば、簡単な構造で、火災時であっても、上外障子の竪框の反りにより、上外障子の竪框と枠体の竪枠の上部付近で隙間が生じることを防止可能な上げ下げ窓を提供することができる。
【図面の簡単な説明】
【０００８】
【図１】本発明の実施形態に係る上げ下げ窓の室内側全体正面図。
【図２】図１に示した上げ下げ窓のＡ−Ａ線に沿った縦断面図。
【図３】上げ下げ窓の横断面模式図、（ａ）は図１に示した上げ下げ窓のＢ−Ｂ線に沿った横断面模式図、（ｂ）は図２に示した上げ下げ窓のＣ−Ｃ線に沿った横断面模式図。
【図４】本発明の実施形態に係る上げ下げ窓の反り防止金具の一例を示す図、（ａ）は反り防止金具の側面図、（ｂ）は正面図、（ｃ）は上面図。
【図５】本発明の実施形態に係る上げ下げ窓の受け金具の一例を示す図、（ａ）は受け金具の正面図、（ｂ）は側面図、（ｃ）は上面図。
【図６】本発明の実施形態に係る上げ下げ窓の反り防止金具及び受け金具の取付け構造の一例を示す図、（ａ）は拡大横断面図、（ｂ）は拡大縦断面図。
【図７】本発明の実施形態に係る上げ下げ窓の枠体への上外障子の建て込み時の動作の一例を示す図、（ａ）は建て込み前の状態を示す図、（ｂ）は拡大横断面図であり、（ｃ）は建て込み後の状態を示す図。
【図８】本発明の他の実施形態に係る上げ下げ窓の一例を示す図。
【発明を実施するための形態】
【０００９】
本発明の実施形態に係る上げ下げ窓を防火用上げ下げ窓に適用した一例を、図面を参照しながら説明する。
【００１０】
図１は本発明の実施形態に係る上げ下げ窓１００の室内側全体正面図である。図２は図１に示した上げ下げ窓１００のＡ−Ａ線に沿った縦断面図である。図３は上げ下げ窓１００の横断面模式図である。詳細には、図３（ａ）は図１に示した上げ下げ窓のＢ−Ｂ線に沿った横断面模式図、図３（ｂ）は図２に示した上げ下げ窓のＣ−Ｃ線に沿った横断面模式図である。
【００１１】
本発明の実施形態に係る上げ下げ窓１００は、枠体であるサッシ枠１と上外障子２と下内障子３とを有する。上げ下げ窓１００は、枠体であるサッシ枠１の竪枠１３，１４の上部と上外障子２の竪框２３，２４の上部のうち、一方に反り防止金具７０２、他方に受け金具７０１を有する。受け金具７０１は、障子走行方向に開口する切欠き部７０１ｕを備える。反り防止金具７０２は、竪枠１３，１４または竪框２３，２４の他方側に突出する係合片７０２ｐを有する。
上げ下げ窓１００は、上外障子２が閉鎖位置にある場合、反り防止金具７０２の係合片７０２ｐが受け金具７０１の切欠き部７０１ｕに差し込まれて、反り防止金具７０２と受け金具７０１とが見込み方向に係合するように構成されている。
【００１２】
また、本発明の実施形態に係る上げ下げ窓１００は、反り防止金具７０２と受け金具７０１が、火災時、枠体（サッシ枠１）と框との隙間を塞ぐための熱膨張耐火材９を備える。
【００１３】
以下、本発明の実施形態に係る上げ下げ窓１００を詳細に説明する。
【００１４】
本発明の実施形態に係る上げ下げ窓１００は、躯体開口部に取付けたサッシ枠１内に収容された上外障子である外障子２と、下内障子である内障子３とを有する。外障子２がサッシ枠１内の室外側上方に配置され、内障子３がサッシ枠１内の室内側下方に配置されている。
本実施形態では、外障子２がサッシ枠１内の上部に固定され、内障子３がサッシ枠１内の下部に嵌め込まれ、内障子３が上下移動自在に配置されている。内障子３を上げた場合、内障子３の下方に形成される開口部を通じて採風を行えるように、上げ下げ窓１００が構成されている。外障子２と内障子３は、引違い状に配置されている。本実施形態では、上げ下げ窓１００は、シングルハングである。尚、上げ下げ窓１００は、ダブルハングであってもよい。
【００１５】
本発明の実施形態の上げ下げ窓１００として、アルミニウム合金などの金属材と、その金属材の室内側に配設した樹脂材を備える複合サッシを採用し、断熱性および意匠性を向上させている。尚、上げ下げ窓１００は、複合サッシに限られるものではない。
【００１６】
＜サッシ枠１＞
サッシ枠１は、上枠１１と、下枠１２と、左右の竪枠１３，１４とを有し、それらが四方枠組みして構成されている。上枠１１、下枠１２、竪枠１３，１４の内周部には、外障子２や内障子３に嵌合する凹部（呑込み溝）が形成されている。
【００１７】
＜外障子２＞
図１、図２、図３に示したように、外障子２は、上障子として機能し、上框２１、下框２２、竪框２３，２４を四周枠組みして構成されている。外障子２は、各框により区画された区画内にガラスパネル２５（パネル）を装着して構成されている。
本発明の実施形態に係る上げ下げ窓１００は、外障子２の下部に設けられたロッド棒５１、このロッド棒５１を外障子２に固定するロッド棒取付金具５２を有し、サッシ枠１の竪枠に設けられたストッパー５４（支持部材）に係合することにより、外障子２がサッシ枠１に固定可能な構造となっている。
【００１８】
＜内障子３＞
内障子３は、下障子として機能し、上框３１、下框３２、竪框３３，３４を四周枠組みして構成されている。内障子３は、各框により区画された区画内にガラスパネル３５（パネル）を装着して構成されている。
【００１９】
上記外障子２及び内障子３のパネル２５，３５は、例えば、その四方端部がシール部材６（グレージングチャンネル）を介して外障子２および内障子３の各框に嵌合している。本実施形態では、パネル２５，３５として、２枚の板ガラスの間にスペーサーを挟持した複層ガラスパネルを例示しており、そのガラスの隙間に乾燥空気や不活性ガスなどが封入されている。尚、パネル２５，３５はこの形態に限定されるものではなく、単板ガラスであってもよい。
【００２０】
本実施形態では、サッシ枠１の上枠１１、下枠１２、竪枠１３、竪枠１４は、金属枠と、その金属枠の室内側に配設した樹脂材と、などで構成されている。
また、内障子３及び外障子２は、アルミニウム合金などの押出形材の金属框と、その金属框の室内側面等に設けられた樹脂框となどで構成されていてもよい。
【００２１】
詳細には、図１，図２，図３に示したように、上枠１１は、金属上枠１１１と、その金属上枠１１１の室内側に配設した樹脂上枠１１２と、などで構成されている。
下枠１２は、金属下枠１２１と、その金属下枠１２１の室内側に配設した樹脂下枠１２２と、などで構成されている。
竪枠１３（１４）は、金属竪枠１３１（１４１）と、その金属竪枠１３１（１４１）の室内側に配設した樹脂竪枠１３２（１４２）と、などで構成されている。
【００２２】
また、外障子２の上框２１は、金属上框２１１と、その金属上框２１１の室内側に配設した樹脂上框２１２と、などで構成されている。
外障子２の竪框２３（２４）は、金属竪框と、金属竪框の室内側に配設した樹脂上框と、などで構成されている。
【００２３】
内障子３の上框３１は、金属上框３１１と、その金属上框３１１の室内側に配設した樹脂上框３１２と、などで構成されている。
内障子３の下框３２は、金属下框３２１と、その金属下框３２１の室内側に配設した樹脂下框３２２と、などで構成されている。
内障子３の竪框３３（３４）は、金属竪框と、その金属竪框の室内側に配設した樹脂竪框と、などで構成されている。
【００２４】
＜バランサ５＞
サッシ枠１の竪枠１３，１４の上部、または、上枠１１の左右両端部付近に、渦巻バネ式バランサ装置などのバランサ５が設けられている。バランサ５から繰り出された吊りワイヤ５ｗに、可動障子としての内障子３（下障子）が吊設されている。本実施形態では、可動障子である内障子３（下障子）は、内障子３の下端部付近に設けられた係止部材５ｓにワイヤ５ｗが係止されることで吊設されている。内障子３（下障子）の重力と、バランサ５による上方向への付勢力とが力学的に平衡関係となるように構成され、可動障子である内障子３を小さな力で簡単に上下方向に移動させて開閉可能であり、且つ、内障子３を任意の高さ位置に停止できるように構成されている。
【００２５】
＜把持部３７（把手）＞
本実施形態では、内障子３（下障子）の下框の中央部付近に、把持部３７（把手）が設けられている。操作者が把持部３７を上下方向に操作することで、内障子３を簡単に開閉自在となるように構成されている。
【００２６】
＜施錠金具７（クレセント）＞
図１、図２、図３に示したように、外障子２（上障子）の下框２２（召し合せ框）と、内障子３（下障子）の上框３１（召し合せ框）は、施錠金具７（クレセント）により施錠可能に構成されている。詳細には、内障子３（下障子）の上框３１（召し合せ框）の略上端中央部にクレセント本体金具７１が設けられている。クレセント本体金具７１とクレセント受け金具７２とが係合することで、内障子３を閉鎖位置に固定することができる。
【００２７】
＜反り防止金具７０２および受け金具７０１＞
以下、本発明の実施形態に係る上げ下げ窓１００における、上外障子２の竪框２３，２４と枠体であるサッシ枠１の竪枠１３，１４との間に隙間が生じることを防止するための反り防止金具７０２、及び、受け金具７０１とを説明する。尚、サッシ枠１の竪枠１３と竪框２３側、または、竪枠１４と竪框２４側に設けられた反り防止金具７０２および受け金具７０１を説明するが、サッシ枠１の竪枠１３，１４と竪框２３，２４の両方に反り防止金具７０２および受け金具７０１が設けられていてもよいし、一方のみに設けられていてもよい。
【００２８】
図４は本発明の実施形態に係る上げ下げ窓１００の反り防止金具７０２の一例を示す図である。詳細には、図４（ａ）は反り防止金具７０２の側面図、図４（ｂ）は正面図、図４（ｃ）は上面図である。図５は上げ下げ窓１００の受け金具７０１の一例を示す図である。詳細には、図５（ａ）は受け金具７０１の正面図、図５（ｂ）は側面図、図５（ｃ）は上面図である。
図６は上げ下げ窓１００の反り防止金具７０２および受け金具７０１の取付け構造の一例を示す図であり、詳細には、図６（ａ）は拡大横断面図、図６（ｂ）は拡大縦断面図である。
図７は本発明の実施形態に係る上げ下げ窓１００の枠体（サッシ枠１）への上外障子２の建て込み時の動作の一例を示す図、図７（ａ）は建て込み前の状態を示す図、図７（ｂ）は拡大横断面図であり、図７（ｃ）は建て込み後の状態を示す図である。
【００２９】
図１〜図７に示した本発明の実施形態に係る上げ下げ窓１００は、枠体であるサッシ１の竪枠１３（１４）の上部付近に受け金具７０１を備え、上外障子２の竪框２３（２４）の上部付近に反り防止金具７０２を備える。反り防止金具７０２と受け金具７０１は、ステンレス鋼などの金属材料により形成されている。
【００３０】
＜反り防止金具７０２＞
反り防止金具７０２は、本実施形態では、図４、図６、図７に示したように、上外障子２の竪框２３（２４）に固定される板状の固定本体部７０２ａと、竪枠１３（１４）側に突出する係合片７０２ｐとを有する。固定本体部７０２ａと係合片７０２ｐは金属材料により一体的に形成されている。係合片７０２ｐは、例えば、金属板材を屈曲加工することで容易に形成することができる。
固定本体部７０２ａには、反り防止金具７０２を竪框２３（２４）に固定するための固定部材９１５が嵌合する一つまたは複数の孔部７０２ｈを備える。反り防止金具７０２は、図６に示したように、固定部材９１５により、竪框２４（金属縦框２４１）に固定されている。
また、反り防止金具７０２は、固定本体部７０２ａの枠側面に、熱膨張耐火材９が設けられている。
【００３１】
熱膨張耐火材９としては、例えば積水化学工業株式会社製の商品名「フィブロック（登録商標）」を用いることができる。これは、プラスチック技術を活用した有機系耐火材であり、通常の状態では柔軟な薄いシート状で、２００℃以上に加熱されると発泡して厚さ方向に５〜４０倍に膨張し、断熱層を形成する。この熱膨張耐火材９は、火災時に消失することがなく、有害ガスが発生することもない。またフィブロックは、片面に剥離紙付きの接着層を有し、剥離紙を剥がして簡便に接着取付けすることができる。
【００３２】
＜受け金具７０１＞
受け金具７０１は、外障子２の障子走行方向ｄに開口する切欠き部７０１ｕを備える。詳細には、受け金具７０１は、図５、図６、図７に示したように、枠体の竪枠１３（１４）に固定される固定本体部７０１ａと、固定本体部７０１ａの一方の端部から外障子２側へ突出する凸形状部７０１ｂを有し、凸形状部７０１ｂに切欠き部７０１ｕが形成されている。固定本体部７０１ａと、凸形状部７０１ｂは、金属材料などにより一体形成されている。
【００３３】
詳細には、凸形状部７０１ｂは、例えば、図５（ａ）などに示したように、固定本体部７０１ａの下端部から外障子２側へ水平方向に延出する水平突出部７０１ｃと、水平突出部７０１ｃの端部（外障子側端部）から下方に延出した垂直突出部７０１ｄと、垂直突出部７０１ｄの下端から下方へ延出するとともに枠側に傾斜した傾斜部７０１ｅと、傾斜部７０１ｅの端部から下方へ延出する垂直板部７０１ｆと、を有する。
【００３４】
固定本体部７０１ａには、受け金具７０１を竪枠１３（１４）に固定するための固定部材９１６が嵌合する一つまたは複数の孔部７０１ｈを備える。図６に示したように、ネジなどの固定部材９１６により、受け金具７０１が竪枠１４に固定される。また、受け金具７０１の固定本体部７０１ａの枠側面には、熱膨張耐火材９が設けられている。
【００３５】
凸形状部７０１ｂに設けられた切欠き部７０１ｕは、図５、図６、図７に示したように、外障子２に設けられた反り防止金具７０２の係合片７０２ｐが侵入する側（下方側）に拡開した形状に形成されている。詳細には、切欠き部７０１ｕの下方側端部７０１ｋの幅（見込み方向の幅）は、切欠き部７０１ｕの上方側端部７０１ｎの幅（見込み方向の幅）と比較して、大きく形成されている。
【００３６】
次に、本発明の実施形態に係る上げ下げ窓１００の枠体であるサッシ枠１の竪枠への上外障子２の建て込み時の動作の一例を説明する。
図７（ａ）、図７（ｂ）、図７（ｃ）に示したように、サッシ枠１に上外障子を組み込む場合（詳細には、サッシ枠１の竪枠１３（１４）の下方から上方に向かって、上外障子２を組み込む場合）、受け金具７０１の切欠き部７０１ｕが障子走行方向の下方に向けて拡開した形状に形成されているので、反り防止金具７０２の係合片７０２ｐが、規定位置から見込み方向（室内外方向）に僅かにずれていたとしても、反り防止金具７０２の係合片７０２ｐを切欠き部７０１ｕの幅広部分から幅狭部分に容易に導入することができる。
上外障子２を枠体（サッシ枠１）に組み込んだ場合、反り防止金具７０２の係合片７０２ｐが切欠き部７０１ｕの幅狭部分に係合した状態となるように、上げ下げ窓１００が構成されている。このため、竪枠１３（１４）と外障子２の竪框２３（２４）との間のガタツキを防止することができる。
【００３７】
尚、上述した例では、上外障子２の竪框２４側に設けられた反り防止金具７０２、竪枠１４側に設けられた受け金具７０１について説明したが、上外障子２の竪框２３側に設けられた反り防止金具７０２、竪枠１３側に設けられた受け金具７０１についても同様であるので、説明を省略する。
【００３８】
＜本発明の他の実施形態に係る上げ下げ窓１００＞
図８は本発明の他の実施形態に係る上げ下げ窓１００の一例を示す図である。
上述した上げ下げ窓１００では、反り防止金具７０２が上外障子２の竪框２４（２３）に設けられ、受け金具７０１がサッシ枠１の竪枠１４（１３）に設けられていたが、この形態に限られるものではない。
図８に示したように、反り防止金具７０２がサッシ枠１の竪枠１４（１３）に設けられ、受け金具７０１が竪框２４（２３）に設けられていてもよい。この外障子２に設けられた受け金具７０１の切欠き部７０１ｕは、上方に向かって拡開した形状に形成されている。
【００３９】
図８に示した上げ下げ窓１００は、サッシ枠１に上外障子２を組み込む場合（詳細には、サッシ枠１の竪枠１３（１４）の下方から上方に向かって、上外障子２を組み込む場合）、受け金具７０１の切欠き部７０１ｕが上方に向かって拡開した形状に形成されているので、反り防止金具７０２の係合片７０２ｐを容易に切欠き部７０１ｕの幅狭部分に導入することができる。
また、上外障子２を枠体（サッシ枠１）に組み込んだ場合、反り防止金具７０２の係合片７０２ｐが切欠き部７０１ｕの幅狭部分に係合した状態となるように、上げ下げ窓１００が構成されている。このため、竪枠１３（１４）と外障子２の竪框２３（２４）との間のガタツキを防止することができる。
【００４０】
以上、説明したように、本発明の実施形態に係る上げ下げ窓１００は、枠体であるサッシ枠１と上外障子２と下内障子３とを有し、枠体であるサッシ枠１の竪枠１３，１４の上部と上外障子２の竪框２３，２４の上部のうち、一方に反り防止金具７０２、他方に受け金具７０１を有する。
受け金具７０１は、障子走行方向に開口する切欠き部７０１ｕを備える。反り防止金具７０２は、竪枠または竪框の他方側に突出する係合片７０２ｐを有する。上外障子２が閉鎖位置にある場合、反り防止金具７０２の係合片７０２ｐが、受け金具７０１の切欠き部７０２ｕに差し込まれて、反り防止金具７０２と受け金具７０１とが見込み方向に係合するように、上げ下げ窓１００が構成されている。
比較例として、反り防止金具７０２と受け金具７０１とを備えていない一般的な上げ下げ窓では、枠体に上外障子が嵌め込まれ、ロッド棒などにより枠体と上外障子とが単純に固定された構造となっており、枠体の竪枠の上部付近と上外障子の竪框の上部付近との結合強度が比較的小さく、火災時、上外障子の竪框が反ることにより、上障子の竪框と枠体の竪枠の上部付近に隙間が生じる場合がある。
一方、本発明の実施形態に係る上げ下げ窓１００は、上述した反り防止金具７０２と受け金具７０１を備えているので、火災時、枠体（サッシ枠１）、竪框２３，２４が熱延びしたとしても、反り防止金具７０２と受け金具７０１が見込み方向に係合しているので、外障子２の竪框２３，２４と枠体の竪枠１３，１４との上部付近で隙間が生じることを防止可能な上げ下げ窓１００を提供することができる。
【００４１】
また、本発明の実施形態に係る上げ下げ窓１００は、反り防止金具７０２と受け金具７０１が、火災時、枠体（サッシ枠１）と上外障子２の框の隙間を塞ぐための熱膨張耐火材９を備える。また、上記上げ下げ窓１００は、枠体（サッシ枠１）と障子の框の間の四周の隙間を、火災時に、連続して塞ぐための熱膨張耐火材９を備える。このため、火災時、熱膨張耐火材９により、反り防止金具７０２と受け金具７０１の近傍の枠体（サッシ枠１）と上外障子２の框の隙間を塞ぐことができ、且つ、枠体（サッシ枠１）と障子の框の間の四周の隙間を塞ぐことができる。
すなわち、火災時であっても、障子と框の四周に隙間が生じにくいため、延焼を防止することができる上げ下げ窓１００を提供することができる。
【００４２】
また、本発明の実施形態に係る上げ下げ窓１００は、受け金具７０１が、障子走行方向に拡開した形状に形成された切欠き部７０１ｕを有し、切欠き部７０１ｕの幅広部分にて反り防止金具７０２の係合片７０２ｐを切欠き部内に導入し、且つ、切欠き部７０１ｕの幅狭部分にて反り防止金具７０２の係合片７０２ｐと受け金具７０１とが見込み方向に係合するように構成されている。
すなわち、外障子２をサッシ枠１に組み込む場合、切欠き部７０１ｕに防止金具７０２の係合片７０２ｐを容易に導入することができるので、一般的な上げ下げ窓と同様の動作で外障子２をサッシ枠１に組み込むことができ、且つ、火災時に、上外障子２の竪框２３，２４と枠体の竪枠１３，１４との間に隙間が生じることを防止可能な上げ下げ窓１００を提供することができる。
【００４３】
尚、本発明の実施形態に係る上げ下げ窓１００は、上述した実施形態に限定されない。
上述した実施形態では、上げ下げ窓１００は、上外障子２が枠体（サッシ枠１）に固定されるシングルハングであったが、この形態に限られるものではなく、例えば、上げ下げ窓は、ダブルハングであってもよい。
このシングルハング、ダブルハングのいずれのタイプであっても、外障子２が枠体に対して障子走行方向にスライドした場合、上述した受け金具７０１の切欠き部７０１ｕと、反り防止金具７０２の係合片７０２ｐが、障子走行方向に係合しないように構成されており、つまり、外障子２のスライドを妨げることがない。そして、外障子２を枠体（サッシ枠１）に対して閉じた状態に位置させることで、容易に、上述した反り防止金具７０２の係合片７０２ｐと受け金具７０１の切欠き部７０１ｕとを見込み方向に係合状態とすることができる。
【００４４】
また、例えば、可動障子は、１枚又は３枚以上の可動障子により構成されていてもよい。
また、上げ下げ窓１００の框や枠の断面形状は、適宜変更することができる。
また、外障子２、内障子３に設けられるパネル（ガラス）は３枚以上とすることもできる。
また、本発明に係る上げ下げ窓は、建物の窓に限らず、電車等の乗り物の窓等に用いることもできる。
【００４５】
本実施形態では、熱膨張耐火材９は、反り防止金具７０２や受け金具７０１に設けられていたが、この形態に限られるものではない。熱膨張耐火材９は、例えば、反り防止金具７０２や受け金具７０１と別体で設けられていてもよい。火災時に、枠と框の間の四周の隙間を連続して塞ぐように、反り防止金具７０２や受け金具７０１の近傍に熱膨張耐火材９が設けられていてもよい。
【００４６】
以上、本発明の実施形態について説明したが、本発明の実施形態の一部または全部は、以下の付記のように記載される。
［付記１］
枠体と上外障子と下内障子とを有し、
枠体の竪枠の上部と上外障子の竪框の上部のうち、一方に反り防止金具、他方に受け金具を有し、
受け金具は、障子走行方向（上外障子を枠体に組み込み時の障子走行方向）に開口する切欠き部を備え、
反り防止金具は、竪枠または竪框の他方側に突出する係合片を有し、
上外障子が閉鎖位置にある場合、反り防止金具の係合片が、受け金具の切欠き部に差し込まれて、反り防止金具と受け金具とが見込み方向に係合するように構成されていることを特徴とする上げ下げ窓。
［付記２］
反り防止金具と受け金具は、火災時、枠体と上外障子の框の隙間を塞ぐための熱膨張性耐火材を備えることを特徴とする付記１に記載の上げ下げ窓。
［付記３］
受け金具は、障子走行方向に拡開した形状に形成された切欠き部を有し、切欠き部の幅広部分にて反り防止金具の係合片を切欠き部内に導入し、且つ、切欠き部の幅狭部分にて反り防止金具の係合片と受け金具とが見込み方向に係合するように構成されていることを特徴とする付記１または付記２に記載の上げ下げ窓。
【００４７】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【符号の説明】
【００４８】
１  サッシ枠（枠体）
２  外障子（上外障子）
３  内障子（下内障子）
５  バランサ
５ｓ  係止部材
５ｗ  ワイヤ
６  シール部材（グレージングチャンネル）
７  施錠金具（クレセント）
９  熱膨張性耐火材
１１  上枠
１２  下枠
１３  竪枠
１４  竪枠
２１  上框
２２  下框
２３  竪框
２４  竪框
２５  パネル（ガラスパネル）
３１  上框
３２  下框
３３  竪框
３４  竪框
３５  パネル（ガラスパネル）
３７  把持部（把手）
５１  ロッド棒
５２  ロッド棒取付金具
５４  ストッパー（支持部材）
７０１  受け金具（反り防止金具の係合片を受ける金具）
７０１ｕ  切欠き部
７０２  反り防止金具
７０２ｐ  係合片
１００  上げ下げ窓（防火用上げ下げ窓）
【図１】
2014218834.tif 000003
【図２】
2014218834.tif 000004
【図３】
2014218834.tif 000005
【図４】
2014218834.tif 000006
【図５】
2014218834.tif 000007
【図６】
2014218834.tif 000008
【図７】
2014218834.tif 000009
【図８】
2014218834.tif 000010